(57)【要約】【課題】ロール状の粘着テープを繰り出して切断した後に、片手で操作して粘着テープの先端部分の粘着面に非粘着面を形成することができるテープディスペンサを提供する。【解決手段】粘着テープを回転可能に保持するテープ保持部２と、テープ保持部２に配設されたテープガイド部３と、テープガイド部３の先端に配設された切断部６とを有し、切断部６が、テープガイド部３との接続部分を回転中心として、繰り出された粘着テープ３２の先端部分を折り込みながら回転（揺動）し、折り込み面１１とテープガイド面７との間に折り込まれた粘着テープを挟み、繰り出された粘着テープ３２の先端部分の粘着面３３に非粘着面を形成する。【選択図】図１
2005231864.tif 000002
【特許請求の範囲】
【請求項１】
ロール状の粘着テープを回転可能に保持することができその外周部が円筒形状の外周面の少なくとも一部を形成するテープ保持部と、前記テープ保持部に配設され前記テープ保持部の前記外周部の径方向外側に延びる支持体及び前記支持体に配設され前記テープ保持部の前記外周部の中心軸方向にほぼ平行なテープガイド面を有するガイド体を有するテープガイド部と、前記ガイド体の先端に前記テープ保持部の前記外周部の中心軸方向にほぼ平行に配設され前記テープガイド部に沿って繰り出された前記粘着テープを切断することが可能な切断部とを備えたテープディスペンサであって、
前記切断部が、前記テープガイド面が向いている側と同じ側を向いた折り込み面を有し前記ガイド体との接続部分（切断部接続端部）を回転中心として前記折り込み面が前記テープガイド面に向かう方向に回転して前記折り込み面が前記テープガイド面に衝突することができるように前記ガイド体の先端に配設された板状の揺動プレートと、前記揺動プレートの先端に配設された前記粘着テープを切断することが可能な刃とを有してなるテープディスペンサ。
【請求項２】
その一の面が前記ガイド体側に向けられて着脱自在に前記ガイド体に固定され、他の面が前記テープガイド面となる板状の切断部支持体を有し、前記切断部が前記切断部支持体に蝶番を切断部接続端部として接続されて前記ガイド体に配設される請求項１に記載のテープディスペンサ。
【請求項３】
前記切断部支持体が前記ガイド体に面ファスナーにより固定される請求項２に記載のテープディスペンサ。
【発明の詳細な説明】
【技術分野】
【０００１】
本発明は、テープディスペンサに関し、さらに詳しくは、ロール状の粘着テープを繰り出して切断した後に、粘着テープの先端部分の粘着面に非粘着面を形成することができるテープディスペンサに関する。
【背景技術】
【０００２】
段ボール、配管等の被着体に、梱包や封緘の目的でロール状の粘着テープを繰り出して貼り付けた後、貼り付けられた粘着テープを開封するときに、貼り付いた粘着テープを容易に剥がせるようにするため、あらかじめ粘着テープの粘着面側に非粘着部分を設ける方法が知られている。特に、比較的大きなテープ貼り付け装置（テープディスペンサ）では、テープ自動折り込み装置等を有して非粘着部分を容易に設けることができる。例えば、テープを減圧吸引して折りたたむ方法（例えば、特許文献１参照）、テープに空気を吹き付けて撓ませたところを挟む方法（例えば、特許文献２参照）、ローラーを利用して折りたたむ方法（例えば、特許文献３，４参照）、針状の部材を粘着テープに突き刺し板状の部材を利用して折り込む方法（例えば、特許文献５参照）、モータの駆動力で回転するカム機構により折り曲げのタイミングを見計らって折り曲げ片を自動操作する方法（例えば、特許文献６参照）等が挙げられる。
【０００３】
これに対し、ハンドタイプのテープディスペンサでは、上述のような大型の装置を装着することができないため、より簡易な方式が提案されている。例えば、テープを切断するカッター（刃）とテープロール（ロール状粘着テープ）との間に粘着テープの粘着面を受ける（貼り付けておく）台を設け、粘着テープを繰り出してカッターで切断したときに、粘着テープの先端がカッターに貼り付き、さらに粘着テープの途中の部分が上記台に貼り付いた状態となり、粘着テープの先端が貼り付いたカッターを上記台の方へ揺動することでテープを撓ませ、撓んだ部分を摘むことで非粘着面を形成する方法がある（例えば、特許文献７，８参照）。また、クランクレバーを利用して非粘着面を形成する方法がある（例えば、特許文献９参照）。しかし、これらの方法は、ハンドタイプのテープディスペンサの場合、テープディスペンサを片手に持ちながら、他方の手で非粘着面を形成する操作をしなければならず、必ずしも使い易いものではなかった。
【特許文献１】特開平１１−３２１８１７号公報
【特許文献２】特開平５−３１９４０５号公報
【特許文献３】特開平１１−３４９２１１号公報
【特許文献４】特開平６−１２２８５４号公報
【特許文献５】特開２００２−４６９３１号公報
【特許文献６】特開平１１−４９４１９号公報
【特許文献７】特開平８−１１３４１５号公報
【特許文献８】特開平７−３０４５５１号公報
【特許文献９】特開２０００−２８９９１８号公報
【発明の開示】
【発明が解決しようとする課題】
【０００４】
本発明は、このような従来技術の有する問題点に鑑みてなされたものであり、その目的とするところは、ロール状の粘着テープを繰り出して切断した後に、片手で操作して粘着テープの先端部分の粘着面に非粘着面を形成することができるテープディスペンサを提供することにある。
【課題を解決するための手段】
【０００５】
上記目的を達成するため、本発明によって以下のテープディスペンサが提供される。
【０００６】
［１］ロール状の粘着テープを回転可能に保持することができその外周部が円筒形状の外周面の少なくとも一部を形成するテープ保持部と、前記テープ保持部に配設され前記テープ保持部の前記外周部の径方向外側に延びる支持体及び前記支持体に配設され前記テープ保持部の前記外周部の中心軸方向にほぼ平行なテープガイド面を有するガイド体を有するテープガイド部と、前記ガイド体の先端に前記テープ保持部の前記外周部の中心軸方向にほぼ平行に配設され前記テープガイド部に沿って繰り出された前記粘着テープを切断することが可能な切断部とを備えたテープディスペンサであって、前記切断部が、前記テープガイド面が向いている側と同じ側を向いた折り込み面を有し前記ガイド体との接続部分（切断部接続端部）を回転中心として前記折り込み面が前記テープガイド面に向かう方向に回転して前記折り込み面が前記テープガイド面に衝突することができるように前記ガイド体の先端に配設された板状の揺動プレートと、前記揺動プレートの先端に配設された前記粘着テープを切断することが可能な刃とを有してなるテープディスペンサ。
【０００７】
［２］その一の面が前記ガイド体側に向けられて着脱自在に前記ガイド体に固定され、他の面が前記テープガイド面となる板状の切断部支持体を有し、前記切断部が前記切断部支持体に蝶番を切断部接続端部として接続されて前記ガイド体に配設される［１］に記載のテープディスペンサ。
【０００８】
［３］前記切断部支持体が前記ガイド体に面ファスナーにより固定される［２］に記載のテープディスペンサ。
【発明の効果】
【０００９】
このように、本発明のテープディスペンサによれば、粘着テープを切断部の刃により切断した後、切断部が粘着テープを折り込みながら回転し、折り込み面がテープガイド面に接触するときに、折り込まれた粘着テープの粘着面を、テープガイド面の部分に位置する粘着テープの粘着面に貼り付かせるため、テープディスペンサを片手で持って、被着体に粘着テープを貼り付けて切断した後、そのまま片手でテープディスペンサを軽く振ることにより切断部を揺動（回転）させて、粘着テープの先端部分に非粘着部を形成することができる。そして、貼り付けた粘着テープを剥がすときにはその非粘着部を摘んで容易に剥がすことができる。また、切断部を揺動可能にガイド体に配設するという簡易な構造で、粘着テープの先端部分に非粘着部を形成することができる。
【発明を実施するための最良の形態】
【００１０】
次に本発明の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００１１】
図１は、本発明のテープディスペンサ１の一の実施の形態を模式的に示す側面図である。本実施の形態のテープディスペンサは図１に示すように、ロール状の粘着テープ３１を回転可能に保持することができその外周部が円筒形状の外周面の少なくとも一部を形成するテープ保持部２と、テープ保持部２に配設されテープ保持部２の外周部の径方向外側に延びる支持体４及び支持体４に配設されテープ保持部２の外周部の中心軸方向にほぼ平行な切断部支持体装着面１５を有するガイド体５を有するテープガイド部３と、その一の面がガイド体５の切断部支持体装着面１５に着脱自在に固定され他の面がテープガイド面７となる板状の切断部支持体８及び、切断部支持体８に蝶番を切断部接続端部１２として接続されてガイド体５に配設される切断部６を有する折り込み部１６とを備えるものである。これにより、ガイド体５の切断部支持体装着面１５上に、テープガイド面７が形成され、ガイド体５がテープガイド面７を有する構造となる。切断部６は、テープ保持部２の外周部の中心軸方向にほぼ平行に配設され、テープガイド部３に沿って繰り出された粘着テープ３２を切断することが可能である。ここで、外周部の径方向外側とは、円筒形状の外周面の少なくとも一部を形成する外周部がその円筒形状であるとした場合の、その円筒形状の径方向外側である。また、外周部の中心軸方向とは、円筒形状の外周面の少なくとも一部を形成する外周部がその円筒形状であるとした場合の、その円筒形状の中心軸方向である。また、テープ保持部２の外周部の中心軸方向に「ほぼ平行」とは、粘着テープをテープ保持部２に装着して、粘着テープを繰り出して使用するときに、切断部支持体装着面１５や切断部６が上記中心軸方向から大きく傾いて、粘着テープの貼り付けや切断がし難くならない程度に、平行又は僅かに傾いている状態をいう。さらに具体的には、その傾く角度が２度以下であることが好ましく、１度以下であることが更に好ましい。
【００１２】
切断部６は、テープガイド面７が向いている側と同じ側を向いた折り込み面１１を有し切断部支持体８との接続部分（切断部接続端部）１２を回転中心として折り込み面１１がテープガイド面７に向かう方向に回転して折り込み面１１がテープガイド面７に衝突することができるように切断部支持体８の先端に配設された板状の揺動プレート１３と、揺動プレート１３の先端に配設された刃１４とを有している。切断部６の先端に配設された刃１４は、繰り出された粘着テープ３２を切断することができ、テープ保持部２の外周部の中心軸方向にほぼ平行に配設されている。
【００１３】
上記本実施の形態のテープディスペンサ１を使用するときは、切断部６の折り込み面１１がテープガイド面７の延長上に位置するように、すなわち切断部６（折り込み面１１）が切断部支持体８（テープガイド面７）とほぼ同一平面上に位置するように切断部接続端部１２の部分を延ばした状態とする。そして、テープガイド面７及びその延長上に位置する折り込み面１１に沿って繰り出された粘着テープ３１を切断部６の刃により切断した後、切断部６が、テープガイド面７の延長上に位置する状態から、繰り出された粘着テープ３２を切断部接続端部１２に相当する位置を折り目として折り込みながら回転し、折り込み面１１がテープガイド面７に接触するときに、折り込まれた繰り出された粘着テープ３２の粘着面３３をテープガイド面７の部分に位置する繰り出された粘着テープ３２の粘着面３３に貼り付かせることができる。これにより、繰り出された粘着テープ３２の、切断部６により切断された先端部分の粘着面３３に、非粘着面を形成することができる。粘着テープ３１がテープガイド面７及び折り込み面１１に沿って繰り出されるときに、繰り出された粘着テープ３２の非粘着面側が、テープガイド面７及び折り込み面１１側と対向するように、テープガイド面７及び折り込み面１１が構成されている。
【００１４】
このように、本実施の形態のテープディスペンサによれば、繰り出された粘着テープを切断部の刃により切断した後、切断部が粘着テープを折り込みながら回転し、折り込み面がテープガイド面に接触するときに、折り込まれた粘着テープの粘着面を、テープガイド面の部分に位置する粘着テープの粘着面に貼り付かせるため、テープディスペンサを片手で持って被着体に粘着テープを貼り付けて切断した後、そのまま片手でテープディスペンサを軽く振ることにより切断部を揺動（回転）させて粘着テープの先端部分に非粘着部を形成することができる。そして、貼り付けた粘着テープを剥がすときにはその被粘着部を摘んで容易に剥がすことができる。また、切断部を揺動可能にガイド体に配設するという簡易な構造で、粘着テープの先端部分に非粘着部を形成することができる。
【００１５】
本実施の形態のテープディスペンサを構成する折り込み部１６は、図２（ａ）、図２（ｂ）に示すように、切断部支持体８と切断部６とが切断部接続端部１２を介して接続されている。ここで、図２（ａ）は、本実施の形態のテープディスペンサを構成する折り込み部をテープガイド面側（他の面側）から見た平面図であり、図２（ｂ）は、本実施の形態のテープディスペンサを構成する折り込み部をガイド体に貼り付ける面側（一の面側）から見た平面図である。図２（ａ）に示すように、切断部支持体８のテープガイド面７（他の面）と、切断部６のテープガイド面７が向く側と同じ側を向く面にゴム製の挟み込みシート２４が配設されている。それぞれの配設位置は、切断部６が揺動により切断部支持体８に接触するときに、切断部６とテープガイド面７のそれぞれの接触する部分である。これにより、切断部６が切断部接続端部１２を回転中心として回転し、テープガイド面７と接触して、繰り出された粘着テープの先端部分を２つ折りにするときに、繰り出された粘着テープがそれぞれの衝突面に配設されたゴム製の挟み込みシート２４により挟まれて貼り付けられるようになるため、挟み込みシート２４により繰り出された粘着テープの折り込まれた部分全体を均等に押さえつけることができ、折り込まれた部分全体を均等に貼り付けることができる。挟み込みシート２４は、ゴム製である必要はなく、２枚の挟み込みシート２４で粘着テープを挟んだときに全体がほぼ均等に押さえられるように適度な弾性を有するものであれば、合成樹脂製等でもよい。また、挟み込みシート２４の繰り出された粘着テープと接する表面は、粘着テープの滑りを良くするために、摩擦を小さくすることが好ましい。例えば、ゴム製の挟み込みシート２４の表面に薄い樹脂製のフィルムを貼ることができる。
【００１６】
折り込み部１６は、図２（ｂ）に示すように、ガイド体の切断部支持体装着面に固定される切断部支持体８の一の面２１（テープガイド面の裏側の面）に面ファスナー２３が配設されている。図１に示すように、折り込み部１６をガイド体１５に配設するときには、ガイド体１５の切断部支持体装着面１５に面ファスナー２３に対応する面ファスナーを配設し、切断部支持体８の一の面２１と切断部支持体装着面１５とを当該一対の面ファスナーにより固定する。これにより、ガイド体にテープガイド面が形成される。このように、切断部支持体の一の面と切断部支持体装着面とを面ファスナーにより固定することにより、容易に折り込み部を着脱することができ、当初、折り込み部が装着されていなかったテープディスペンサでも、折り込み部を容易に使用することができる。また、面ファスナーの代わりに、両面テープや接着剤を使用して切断部支持体の一の面と切断部支持体装着面とを接着することにより固定してもよい。
【００１７】
図３（ａ）〜図３（ｃ）は折り込み部１６の切断部６が揺動する様子を模式的に示す側面図である。図３（ａ）〜図３（ｃ）は、折り込み部１６の切断部支持体８をガイド体１５の切断部支持体装着面１５に面ファスナーで固定することにより配設した状態である。
【００１８】
本実施の形態のテープディスペンサにおいて、繰り出された粘着テープを切断するときには、図３（ａ）に示すように、切断部６を、揺動プレート１３の折り込み面１１がテープガイド面７の延長上（ほぼ同一平面状又は少し角度がついた状態）に位置するように、切断部支持体８に対して延ばした状態にする。繰り出された粘着テープ３２は、テープガイド面７と対向する面を非接着面、その裏側の面を粘着面として使用される。そして、図３（ａ）は、繰り出された粘着テープ３２を被着体に貼り付け、刃１４でその繰り出された粘着テープ３２を切断した状態を示している。テープディスペンサは片手で持って操作（作業）することができる。
【００１９】
繰り出された粘着テープ３２を切断した後に、テープディスペンサを、切断部６が切断部接続端部１２を中心として回転（揺動）するように、片手で持った状態で振ることにより、図３（ｂ）に示すように、切断部６が切断部接続端部１２を回転中心として折り込み面１１がテープガイド面７に向かう方向に回転する。図３（ｂ）において、矢印Ｒは、切断部６が回転（揺動）する方向を示す。このとき、刃１４で切断された繰り出された粘着テープ３２は、切断部接続端部１２に相当する位置を折り目３４として折り込まれる。
【００２０】
テープディスペンサを片手で持った状態で振ることにより、回転（揺動）した切断部６は回転方向Ｒの方向に回転を続け、図３（ｃ）に示すように、折り込み面１１がテープガイド面７に接触する。このとき、折り込み面１１及びテープガイド面７には、挟み込みシート２４が配設されているため、折り込み面１１及びテープガイド面７は、挟み込みシート２４を介して接触することになる。つまり、繰り出された粘着テープ３２は、２枚の挟み込みシート２４によって直接挟まれ、折り込まれることになる。そして、折り込まれた粘着テープ３５の粘着面を、テープガイド面７に配設した挟み込みシート２４の部分に位置する粘着テープの粘着面に貼り付かせる。これにより、繰り出された粘着テープ３２を、折り込み面１１とテープガイド面７との間に、その先端部分を２つ折りにして折り込んだ状態で挟み込んで、粘着テープの先端部分の粘着面側に非粘着面を形成することができる。
【００２１】
折り込み部１６の切断部６と切断部支持体８とを揺動可能に繋ぐ切断部接続端部１２は、構造が簡単で耐久性が高い接続部材であることが好ましい。例えば、一般に使用されている蝶番を使用することができる。蝶番を使用すれば、図３（ａ）〜図３（ｃ）に示すように、繰り出された粘着テープを切断するときには、切断部を固定させた状態とし、粘着テープを切断した後は、片手でテープディスペンサを振ることにより簡単に切断部を回転（揺動）させることができる。また、フレキシブルな合成樹脂等を使用してもよい。
【００２２】
図２（ａ）に示す、折り込み部１６を構成する刃１４は、繰り出された粘着テープ３２を被着体に貼り付けた状態で、繰り出された粘着テープ３２の幅方向に平行になるように、揺動プレート１３に配設されることが好ましい。これにより、繰り出された粘着テープ３２を幅方向に平行に切断することができる。刃１４の材料としては、ステンレススチール、鋼、セラミック、硬質樹脂（例えば、ポリ塩化ビニル、ＡＢＳ樹脂等）等を使用することができる。刃１４の構造（形状）としては、複数の鋭利な突起を持ち、その先端の間隔は２．５〜５ｍｍ程度が望ましい。
【００２３】
揺動プレート１３の、刃１４から切断部接続端部１２までの距離は、ほぼ繰り出された粘着テープを折り込む長さになり、１０〜３５ｍｍが好ましい。１０ｍｍより短いと折り込みが不完全となることがあり、３５ｍｍより長いと視覚上好ましくない。より好ましくは１５〜２５ｍｍである。また、揺動プレート１３の形状は、特に限定されるものではないが、切断部６を揺動させて、折り込み面１１とテープガイド面７とを衝突させたときに、挟まれた繰り出された粘着テープが全面で均等に押さえつけられるように、折り込み面１１とテープガイド面７の形状がほぼ同じになるように形成することが好ましい。折り込み面１１とテープガイド面７の形状は、両方が湾曲していてもよいが、両方が平面であることが好ましい。揺動プレート１３及び切断部支持体８の厚さは、特に限定されるものではないが、テープディスペンサのガイド体に取り付けて片手で操作し易い厚さが好ましい。具体的には、折り込み時に重過ぎず、テープの反力に負けない重さを確保するために、０．８〜２．５ｍｍが好ましい。
【００２４】
図２（ａ）に示す、折り込み面１１及びテープガイド面７に貼り付ける挟み込みシート２４の形状は、折り込み面１１及びテープガイド面７に沿った形状であることが好ましい。例えば、折り込み面１１及びテープガイド面７が共に平面であるときは、平面が好ましく、湾曲しているときは、その湾曲に沿った湾曲形状が好ましい。挟み込みシート２４の外周形状は、その幅が、繰り出された粘着テープの幅と同じか、より広いことが好ましい。繰り出された粘着テープの幅より狭いと、繰り出された粘着テープの先端部分を折り込んで折り込まれた粘着テープがテープガイド面に位置する粘着テープに貼り付くときに、折り込まれた粘着テープが全体的に貼り付かないことがある。テープガイド面７に貼り付けられる挟み込みシート２４は、折り込み面１１に貼り付けられる挟み込みシート２４より大きいか、同じ形状であることが好ましい。テープガイド面７に貼り付けられる挟み込みシート２４が、折り込み面１１に貼り付けられる挟み込みシート２４より小さいと、繰り出された粘着テープの先端部分のうち、折り込まれたにもかかわらず接着されない部分が発生することがある。
【００２５】
図２（ｂ）に示す折り込み部１６に配設されている面ファスナー２３は、特に限定されるものではない。これは、切断部支持体装着面に配設される面ファスナーと一対となるものであり、一対の面ファスナーとしては、一方がループタイプ、他方がそれに対応したフックタイプで構成されるもの等、通常使用されるものを使用することができる。また、面ファスナーを配設する面積としては、特に限定されるものではないが、ガイド体の切断部支持体装着面に貼り付けるときに、できるだけ貼り付け面積が広くなるようにすることが好ましい。広いほど貼り付けられる力が強くなるからである。
【００２６】
本実施の形態のテープディスペンサは、切断部と切断部支持体が一体的に形成され（切断部接続端部を中心として揺動する）、それを、切断部支持体装着面に装着する（貼り付ける）ことにより形成されているが、切断部が切断部接続端部を介してガイド体の先端に直接取り付けられてもよい。この場合、ガイド体の切断部支持体装着面に相当する部分がテープガイド面となる。そして、挟み込みシートを配設するときは、ガイド体に形成されたテープガイド面に配設することになる。
【００２７】
本実施の形態のテープディスペンサを構成するテープ保持部は、図１に示すように、円筒形状を中心軸を含む平面で切断して形成される、円筒形状を半分に切った形状である。そして、ロール状の粘着テープ３１をテープ保持部２に装着するときには、テープ保持部２がロール状の粘着テープ３１の内側にはまりこむようにして装着する。このとき、ロール状の粘着テープ３１は、テープ保持部２の外周を自在に回転することができる。テープ保持部２の形状は、円筒形状を半分に切った形状に限られず、その外周部が円筒形状の外周面の少なくとも一部を形成し、ロール状の粘着テープ３１が回転可能に保持されればよい。例えば、円筒形状のものや、円筒形状を中心軸方向に沿って切断した形状の場合もある。円筒形状を切断した形状だけでなく、円柱を切断した形状であってもよい。また、テープ保持部２は、ロール状の粘着テープ３１を保持させたときに幅方向に抜け落ちないように、外周部の中心軸方向端部に径方向に突出する落下防止部を設けることが好ましい。
【００２８】
本実施の形態のテープディスペンサを構成する支持体は、図１に示すように、板状であり、テープ保持部２の外周部の中心軸方向の一方の端部に、テープ保持部２の外周部から径方向外側に延びるように配設されている。支持体４の形状は板状である必要はなく、棒状、不特定の曲面を有する板状、折り曲げ部分を有する板状、不特定形状等であってもよい。支持体４の厚さ、長さ及び幅は、特に限定されるものではなく、通常使用されるハンドタイプのテープディスペンサと同様の範囲とすることができる。
【００２９】
本実施の形態のテープディスペンサを構成するガイド体は、図１に示すように、テープ保持部２の中心軸に平行な切断部支持体装着面１５が形成された板状であり、保持部４の先端に配設されている。そして、切断部支持体装着面１５に折り込み部１６の切断部支持体８が配設されている。これにより、ロール状の粘着テープ３１から繰り出された粘着テープが、支持体４に沿って延ばされ、さらに繰り出された粘着テープ３２の非粘着面が、ガイド体５に配設された切断部支持体８のテープガイド面７側を向いて並行に延ばされる。ガイド体５には、テープガイド面７が直接形成され、切断部６が切断部接続端部１２を介して直接形成されていてもよい。ガイド体５は、板状である必要はなく、テープ保持部２の中心軸に平行な切断部支持体装着面１５又はテープガイド面７が形成され、切断部支持体装着面１５又はテープガイド面７にほぼ平行に粘着テープが繰り出されるように形成されていればよい。例えば、箱形や板状の部材を組み合わせた形状等であってもよい。
【００３０】
図１に示すように、支持体２５には、繰り出された粘着テープ３２の繰り出す方向を切断部６が配設されている方向に変えるためにローラー２５が回転自在に配設されている。これにより、繰り出された粘着テープ３２の粘着面がローラー２５に接触しながら引き出されるときに、ローラー２５が回転し、繰り出された粘着テープ３２が大きな摩擦抵抗を受けることを防止している。
【００３１】
図１に示すように、ガイド体３からローラー２５が配設されている側に向かって押さえ部２６が配設されている。押さえ部２６は、角を丸く形成した細長い形状の板を、繰り出された粘着テープ３２と接触させたときに傷を付けないように、繰り出された粘着テープ３２側に表面が滑らかな凸状になるように湾曲させたものである。押さえ部２６は、繰り出された粘着テープ３２の粘着面がローラー２５と接触した直後に、その非粘着面の幅方向の中心部付近を押圧するように繰り出された粘着テープ３２と接触している。このように、繰り出された粘着テープ３２が、ローラー２５により粘着面側を支えられ、押さえ部２６により非粘着面側の幅方向中心部付近を押さえられることにより、繰り出された粘着テープ３２は、粘着面側の幅方向中心部付近が突出するように湾曲することになる。この湾曲形状を形成することにより、繰り出された粘着テープ３２が、刃１４により切断された後に、切断された先端部分が刃１４に貼り付いていなくても、また、繰り出された粘着テープ３２の先端部分の粘着面側に非粘着面を形成した後でも、繰り出された粘着テープ３２のローラー２５より先の部分（ローラー２５の位置から先端部分までの間）を、ほぼテープガイド面７及び折り込み面１１に沿った状態で保たせることができる。押さえ部２６の形状は板状である必要はなく、繰り出された粘着テープ３２を傷付けずに適度に押圧できればよい。例えば、棒状、筒状等いずれの形状でもよい。
【００３２】
図１に示すように、テープガイド部３のガイド体５に揺動可能に板状のストッパー２７が配設されている。ストッパー２７は、本実施の形態のテープディスペンサ１を使用して、被着体に粘着テープを貼り付けるときに、例えば、粘着テープが勢い良く繰り出されると、ロール状の粘着テープ３１が必要以上に回転し、繰り出された粘着テープ３２が弛んだり、途中でテープガイド部３等に貼り付いたりすることがあるが、このような事態を防止するものである。つまり、被着体に粘着テープを貼り付けるときに、ストッパー２７でロール状の粘着テープ３１を軽く押さえながら粘着テープを繰り出すことにより、粘着テープを勢い良く繰り出しても、ロール状の粘着テープ３１を余分に回転させることなく、粘着テープを繰り出す操作が終了するときには、ロール状の粘着テープ３１の回転もストッパー２７により止めることができる。ストッパー２７の、ロール状の粘着テープ３１と接触する部分は、ロール状の粘着テープ３１の外周形状に沿うように湾曲させることが好ましい。ストッパー２７でロール状の粘着テープ３１を軽く押さえる操作も、片手でテープディスペンサを持ちながら行うことができる。
【００３３】
次に、本実施の形態のテープディスペンサの製造方法について説明する。テープ保持部、テープガイド部、支持体等の各部材を樹脂成形し、得られた各部材を組み立てる。ローラーは樹脂成形したものをボルト、リベット等でテープ保持部、テープガイド部等に取り付ける。刃は熱処理して硬度の上がったものとし、研磨することにより鋭利なエッジを形成する。そして刃を揺動プレートに取り付け、揺動プレートを切断部支持体に蝶番等により回転可能に取り付け、揺動プレートを取り付けた切断部支持体をテープガイド部に、面ファスナー等で装着する。揺動プレート及び切断部支持体は、ステンレススチール又は表面処理された鋼で形成する。
【００３４】
本実施の形態のテープディスペンサに使用する、ロール状の粘着テープとしては、通常使用されるものであれば特に限定されるものではないが、折り込みを形成し易い点を考慮すると、プラスチックフィルムテープが好ましく、例えば、ポリプロピレン製テープ、ＰＥＴ製テープ等が好ましい。
【産業上の利用可能性】
【００３５】
本発明のテープディスペンサは、各種産業において、物品を段ボール等の箱に収納して粘着テープにより梱包、封緘するとき、また配管等に粘着テープ巻き付けるときに利用することができる。これにより、粘着テープの先端部分の粘着面に非粘着面を片手（テープディスペンサを持った手）で容易に形成させることができ、貼り付けた粘着テープを剥がし易くすることができる。
【図面の簡単な説明】
【００３６】
【図１】本発明のテープディスペンサの一の実施の形態を模式的に示す側面図である。
【図２】本発明のテープディスペンサを構成する折り込み部を模式的に示し、図２（ａ）は、テープガイド面側（他の面側）から見た平面図であり、図２（ｂ）は、ガイド体に貼り付ける面側（一の面側）から見た平面図である。
【図３】本発明のテープディスペンサを構成する折り込み部を示し、図３（ａ）〜図３（ｃ）は、折込部の切断部が揺動する様子を模式的に示す側面図である。
【符号の説明】
【００３７】
１…テープディスペンサ、２…テープ保持部、３…テープガイド部、４…支持体、５…ガイド体、６…切断部、７…テープガイド面、８…切断部支持体、１１…折り込み面、１２…切断部接続端部、１３…揺動プレート、１４…刃、１５…切断部支持体装着面、１６…折り込み部、２１…一の面、２２…他の面、２３…面ファスナー、２４…挟み込みシート、２５…ローラー、２６…押さえ部、２７…ストッパー、３１…粘着テープ、３２…繰り出された粘着テープ、３３…粘着面、３４…折り目、３５…折り込まれた粘着テープ、Ｒ…回転方向。
【図１】
2005231864.tif 000003
【図２】
2005231864.tif 000004
【図３】
2005231864.tif 000005